(57)【要約】【課題】見学者の快適性を損なうことなく、省エネ性を向上させること。【解決手段】説明エリア間の移動用通路に人検知センサ（D1,D2,D3,D4）が設けられている。各説明エリア毎に、空調機（11,12,13）が設けられている。制御装置（20）は、見学者の移動により人検知センサ（D2,D3,D4）が検知すると、次の次の説明エリアの空調機（12,13）が運転開始される。【選択図】図１
2009186097.tif 000002
【特許請求の範囲】
【請求項１】
人が一方向に移動する通路に間隔を置いて配設される複数の空調エリア毎に設けられて該空調エリアに調和空気を供給する空調手段を備えた空気調和システムの制御装置であって、
上記各空調エリア間の通路に設けられ、人の通過を検知する人検知手段（D1〜D4）と、
上記人検知手段（D1〜D4）が検知すると、該検知した人検知手段（D1〜D4）の１つ先または複数先の上記空調エリアの空調手段を対象として運転開始する運転開始手段（22）とを備えている
ことを特徴とする空気調和システムの制御装置。
【請求項２】
請求項１において、
上記運転開始手段（22）は、上記検知した人検知手段（D1〜D4）の位置から上記対象とする空調エリアまでの距離と人の歩行速度とに少なくとも基づいて、上記空調手段の運転開始のタイミングを計る
ことを特徴とする空気調和システムの制御装置。
【請求項３】
請求項２において、
上記運転開始手段（22）は、上記検知した人検知手段（D1〜D4）と上記対象とする空調エリアとの間に配設された空調エリアにおける人の滞在時間にも基づいて、上記空調手段の運転開始のタイミングを計る
ことを特徴とする空気調和システムの制御装置。
【請求項４】
請求項１乃至３の何れか１項において、
上記人検知手段（D1〜D4）の検知継続時間に応じて、上記空調手段の空調能力を制御する能力制御手段（23）を備えている
ことを特徴とする空気調和システムの制御装置。
【請求項５】
請求項１乃至３の何れか１項において、
上記人検知手段（D1〜D4）は、上記各空調エリア間の通路の後方側に位置している
ことを特徴とする空気調和システムの制御装置。
【請求項６】
人が一方向に移動する通路に間隔を置いて配設される複数の空調エリアに調和空気を供給する空調手段（11,12,13）と、
上記請求項１乃至５の何れか１項の制御装置（20）とを備えている
ことを特徴とする空気調和システム。
【発明の詳細な説明】
【技術分野】
【０００１】
本発明は、空気調和システムの制御装置および空気調和システムに関し、特に、省エネルギ対策に係るものである。
【背景技術】
【０００２】
例えば特許文献１に開示されているように、室内の一部分を局所的に空調するいわゆる局所空調が従来より行われている。これは、広い空間において、局所的な特定の領域に所定の調和空気を供給することにより、余分な空調負荷が削減される。したがって、省エネな空調が行われる。
【特許文献１】特開２００４−２７８９２８号公報
【発明の開示】
【発明が解決しようとする課題】
【０００３】
ところで、例えば見学者が一方向に移動する見学者通路等において、上述した局所空調が利用されている。この種の見学者通路には、複数の説明エリア（見学エリア）が間隔を置いて設けられている。そして、各説明エリアが局所空調の対象領域になる。
【０００４】
しかしながら、上記見学者通路等では、見学者の快適性を考慮して、常に説明エリアを所定の温度等に維持するため、全ての説明エリアにおいて一斉に局所空調が行われている。したがって、見学者が居ない説明エリアに対しても空調が行われるため、無駄な消費エネルギーが発生するという問題があった。
【０００５】
本発明は、かかる点に鑑みてなされたものであり、その目的は、人が一方向に移動する通路に間隔を置いて配設される複数の空調エリアを空調する空気調和システムおよびその制御装置において、快適性を損なうことなく省エネ性を向上させることである。
【課題を解決するための手段】
【０００６】
第１の発明は、人が一方向に移動する通路に間隔を置いて配設される複数の空調エリア毎に設けられて該空調エリアに調和空気を供給する空調手段を備えた空気調和システムの制御装置を前提としている。そして、本発明は、上記各空調エリア間の通路に設けられ、人の通過を検知する人検知手段（D1〜D4）と、上記人検知手段（D1〜D4）が検知すると、該検知した人検知手段（D1〜D4）の１つ先または複数先の上記空調エリアの空調手段を対象として運転開始する運転開始手段（22）とを備えているものである。
【０００７】
上記の発明では、例えば工場内の見学者用の通路において、見学者が空調エリア（説明エリア）を順次移動する。つまり、見学者は、説明エリアに移動して説明を受けた後（見学した後）、次の説明エリアへ向かって移動する。各説明エリアには、所定の調和空気を供給する空調手段が設けられている。
【０００８】
そして、本発明では、例えば、見学者が説明エリアに居る間、その説明エリアの以降の説明エリアの空調手段は運転停止になっている。この場合、見学者が説明エリア間の通路を移動すると、人検知手段（D1〜D4）によって検知される。検知されると、見学者が次に向かう説明エリアの空調手段が予め運転開始される。これにより、見学者が説明エリアに到着するタイミングでその説明エリア内の温度等が設定値になる。
【０００９】
第２の発明は、上記第１の発明において、上記運転開始手段（22）は、上記検知した人検知手段（D1〜D4）の位置から上記対象とする空調エリアまでの距離と人の歩行速度とに少なくとも基づいて、上記空調手段の運転開始のタイミングを計るものである。
【００１０】
上記の発明では、人検知手段（D1〜D4）が検知してから見学者が対象の説明エリアに到着するまでの移動時間が推定される。この推定した移動時間に応じて、対象とする空調手段の運転開始のタイミングが計られる。例えば、推定した移動時間が比較的長い場合は、運転開始のタイミングが遅くなり、推定した移動時間が比較的短い場合は、運転開始のタイミングが早くなる。これにより、見学者が説明エリアに到着する大分前から空調手段が運転されることはなく、空調手段の無駄な運転が防止される。
【００１１】
第３の発明は、上記第２の発明において、上記運転開始手段（22）は、上記検知した人検知手段（D1〜D4）と上記対象とする空調エリアとの間に配設された空調エリアにおける人の滞在時間にも基づいて、上記空調手段の運転開始のタイミングを計るものである。
【００１２】
上記の発明では、上述した人検知手段（D1〜D4）が検知してから見学者が対象の説明エリアに到着するまでの移動時間の他に、その対象の説明エリアに到着するまでの説明エリアにおける見学者の滞在時間（即ち、説明エリアでの説明時間）も加味して、運転開始のタイミングが計られる。例えば、見学者の移動時間と説明エリアでの説明時間との和が比較的長い場合は、運転開始のタイミングが遅くなり、見学者の移動時間と説明エリアでの説明時間との和が比較的短い場合は、運転開始のタイミングが早くなる。このように、説明エリアの説明時間を加味することで、人検知手段（D1〜D4）から次の説明エリアまでの距離が極端に短い場合や、見学者の歩行速度が予想以上に速い場合でも、運転開始のタイミングが遅れることはなく、見学者が説明エリアに到着するまでに確実にその説明エリアを所定温度等にすることができる。
【００１３】
第４の発明は、上記第１乃至第３の何れか１の発明において、上記人検知手段（D1〜D4）の検知継続時間に応じて、上記空調手段の空調能力を制御する能力制御手段（23）を備えているものである。
【００１４】
上記の発明では、人検知手段（D1〜D4）の検知継続時間に応じて見学者の人数が推定される。この推定人数に応じて空調手段の吹出風量等の空調能力が制御される。例えば、人検知手段（D1〜D4）の検知継続時間が比較的長い場合は、推定人数が多くなり、風量等が高く設定される。人検知手段（D1〜D4）の検知継続時間が比較的短い場合は、推定人数が少なくなり、風量等が低く設定される。
【００１５】
第５の発明は、上記第１乃至第３の何れか１の発明において、上記人検知手段（D1〜D4）が、上記各空調エリア間の通路の後方側に位置しているものである。
【００１６】
上記の発明では、人検知手段（D1〜D4）が通路の後方側、即ち説明エリアの出口付近に位置しているので、いち早く見学者の存在が検知される。したがって、空調手段によって説明エリア内の温度等を設定値にするまでの時間が十分確保される。
【００１７】
第６の発明は、人が一方向に移動する通路に間隔を置いて配設される複数の空調エリアに調和空気を供給する空調手段（11,12,13）と、上記請求項１乃至５の何れか１項の制御装置（20）とを備えているものである。
【００１８】
上記の発明では、見学者等の人が空調エリア（説明エリア）に到着する前に、その空調エリアの空調手段（11,12,13）が制御装置（20）によって運転開始され、見学者が空調エリアに到着するタイミングでその空調エリア内の温度等が設定値になる。
【発明の効果】
【００１９】
以上のように、本発明によれば、空調エリアと空調エリアの間の通路に人検知手段（D1〜D4）を設け、該人検知手段（D1〜D4）が検知すると１つ先または複数先の空調エリアの空調手段を対象として運転を開始するようにした。したがって、見学者等が対象の空調エリアに到着するタイミングで、空調エリア内の温度や湿度をその設定された状態にすることができる。これにより、空調手段を常に運転させなくても、見学者の快適性を損なうことはない。また、見学者の移動状態に合わせて空調手段を適切に運転させることができるので、無駄な運転を防止することができる。その結果、空気調和システムの省エネ性を向上させることができる。
【００２０】
また、第２の発明によれば、検知した人検知手段（D1〜D4）の位置から対象の空調エリアまでの距離と人の歩行速度とに少なくとも基づいて運転開始のタイミングを計るようにした。したがって、人検知手段（D1〜D4）の位置から対象の空調エリアまでの見学者の移動時間を加味して空調手段の運転開始のタイミングを計ることができる。よって、一層見学者の移動状態に合わせて空調手段を運転させることができる。これにより、省エネ性を確実に向上させることができる。
【００２１】
さらに、第３の発明によれば、検知した人検知手段（D1〜D4）と対象の空調エリアとの間に配設された空調エリアでの滞在時間も加味して運転開始のタイミングを計るようにした。したがって、説明エリア間の見学者の移動が予想以上に速くても、適切に空調手段を運転させることができる。よって、確実に見学者の快適性を向上させることができる。
【００２２】
また、第４の発明によれば、人検知手段（D1〜D4）の検知継続時間に応じて空調手段の空調能力を制御するようにした。したがって、見学者の人数に応じた適切な能力で空調手段を運転させることができる。これにより、省エネ性を一層向上させることができる。
【００２３】
また、第５の発明によれば、人検知手段（D1〜D4）を通路の後方側に位置させるようにしたので、空調エリアを出た見学者の存在をいち早く検知することができる。したがって、空調手段が運転開始してから空調エリア内が所定状態になるまでに要する時間を十分に確保することができる。よって、見学者の快適性を確実に維持することができる。
【００２４】
また、第６の発明によれば、複数の空調エリア毎に調和空気を供給する空調手段（11,12,13）と、その空調手段（11,12,13）を制御する上記第１乃至第４の何れか１の制御装置（20）とを備えるようにした。したがって、空調手段（11,12,13）を常に運転させなくても、見学者等が次の空調エリアに到着するタイミングでその空調エリア内の温度や湿度を設定された状態にすることができる。そのため、無駄な運転を防止しつつも、見学者の快適性を維持することができる。よって、快適性および省エネ性を向上させた空気調和システムを提供することができる。
【発明を実施するための最良の形態】
【００２５】
以下、本発明の実施形態を図面に基づいて詳細に説明する。
【００２６】
図１に示すように、本実施形態は、工場等の見学者通路の空調を行うための空気調和システム（10）である。この見学者通路は、見学者が入口側から出口側まで一方向に移動する通路である。そして、この見学者通路は、ガイド役が見学対象について説明するための複数の説明エリア（説明エリア１〜説明エリア３）がそれぞれ移動用通路を介して繋がっている。つまり、見学者は、移動用通路を通って、説明エリア１、説明エリア２および説明エリア３を順に移動する。
【００２７】
上記空気調和システム（10）は、各説明エリア毎に設けられる空調機（11,12,13）と、制御装置（20）とを備えている。
【００２８】
上記各空調機（11,12,13）は、説明エリアの空調を行う空調手段であり、熱交換器（1）およびファン（2）を備えている。つまり、第１空調機（11）によって説明エリア１が空調され、第２空調機（12）によって説明エリア２が空調され、第３空調機（13）によって説明エリア３が空調される。各空調機（11,12,13）は、熱交換器（1）が図示しない熱源回路に接続されている。そして、各空調機（11,12,13）は、ファン（2）によって説明エリア内の空気が吸い込まれ、熱源回路の熱源流体と熱交換した後、説明エリア内へ吹き出される。これにより、説明エリア内の冷房や暖房が行われる。本実施形態において、各説明エリアは、空調エリアを構成している。
【００２９】
上記各移動用通路には、見学者を検知する人検知手段としての人検知センサ（D1,D2,D3,D4）が配設されている。人検知センサ（D1,D2,D3,D4）は、各移動用通路の入口側寄り（即ち、説明エリアの出口寄り）に位置している。つまり、第１人検知センサ（D1）は、説明エリア１の入口側の移動用通路に設けられている。第２人検知センサ（D2）は、説明エリア１と説明エリア２の間の移動用通路に設けられている。第３人検知センサ（D3）は、説明エリア２と説明エリア３の間の移動用通路に設けられている。第４人検知センサ（D4）は、説明エリア３と説明エリア４（図示せず）の間の移動用通路に設けられている。
【００３０】
上記制御装置（20）は、各空調機（11,12,13）の運転制御を行うもので、タイマ部（21）と、運転発停部（22）と、風量設定部（23）とを備えている。
【００３１】
上記タイマ部（21）は、各人検知センサ（D1,D2,D3,D4）毎に、見学者を検知してＯＮするとカウントを開始する。つまり、タイマ部（21）は、第１人検知センサ（D1）用のタイマ１、第２人検知センサ（D2）用のタイマ２、第３人検知センサ（D3）用のタイマ３、第４人検知センサ（D4）用のタイマ４を備えている。
【００３２】
上記運転発停部（22）は、本発明に係る運転開始手段であり、人検知センサ（D1,D2,D3,D4）のＯＮ／ＯＦＦ信号に基づいて、空調機（11,12,13）の運転開始および運転停止を行うように構成されている。
【００３３】
上記風量設定部（23）は、本発明に係る能力制御手段であり、第１人検知センサ（D1）の「ＯＮ」時間、即ち第１人検知センサ（D1）がＯＮしてからＯＦＦするまでの検知継続時間に基づいて、各空調機（11,12,13）の吹出風量を設定するように構成されている。なお、制御装置（20）の詳細な制御動作については後述する。
【００３４】
−制御装置の動作−
上述した制御装置（20）の制御動作について、図２から図５を参照しながら詳細に説明する。制御装置（20）は、各空調機（11,12,13）の発停制御および風量制御を行う。なお、見学者が説明エリア１への移動用通路に到着するまで、各空調機（11,12,13）は停止している。また、ここでは、各空調機（11,12,13）は冷房運転を行うように設定されているものと仮定する。
【００３５】
〈第１空調機の発停制御〉
制御装置（20）は、先ず、図２の制御フローに従って、第１空調機（11）の運転発停制御を行う。ステップＳＴ１では、運転発停部（22）において、第１人検知センサ（D1）がＯＮしたか否かが判断される。見学者が説明エリア１前の移動用通路を通ると、第１人検知センサ（D1）がＯＮする。ステップＳＴ１でＯＮしたと判断されると、ステップＳＴ２へ移行する。なお、ステップＳＴ１では、第１人検知センサ（D1）がＯＮするまでそのまま待機する。また、第１人検知センサ（D1）がＯＮすると、タイマ部（21）のタイマ１においてカウントが開始される。
【００３６】
ステップＳＴ２では、運転発停部（22）によって、第１空調機（11）が運転開始される。これにより、少なくとも見学者が説明エリア１に到着する前に、予め説明エリア１内の冷房が開始される。したがって、見学者が説明エリア１に到着するタイミングで、そのエリア内の温度が設定温度若しくはそれに近い温度になる。
【００３７】
ステップＳＴ２において第１空調機（11）が運転開始されると、ステップＳＴ３へ移行する。ステップＳＴ３では、運転発停部（22）によって、第２人検知センサ（D2）がＯＮからＯＦＦになったか否かが判断される。ＯＦＦになったと判断されると、ステップＳＴ４へ移行し、運転発停部（22）によって第１空調機（11）が運転停止される。なお、ステップＳＴ３では、第２人検知センサ（D2）がＯＦＦになるまでそのまま待機する。つまり、見学者が説明エリア１から移動用通路に移動すると、第２人検知センサ（D2）がＯＮする。そして、見学者の最後尾が第２人検知センサ（D2）の位置を通過すると、第２人検知センサ（D2）がＯＦＦになる。これにより、見学者の全員が説明エリア１から出たということが分かり、そのタイミングで第１空調機（11）が停止される。以上により、第１空調機（11）の運転発停制御が終了する。
【００３８】
〈第２空調機の発停制御〉
次に、制御装置（20）は、図３の制御フローに従って、第２空調機（12）の運転発停制御を行う。ステップＳＴ１１では、運転発停部（22）において、第１人検知センサ（D1）がＯＮしたか否かが判断される。ステップＳＴ１１でＯＮしたと判断されると、ステップＳＴ１２へ移行する。なお、ステップＳＴ１１では、第１人検知センサ（D1）がＯＮするまでそのまま待機する。また、第１人検知センサ（D1）がＯＮすると、タイマ部（21）のタイマ２においてカウントが開始される。
【００３９】
ステップＳＴ１２では、運転発停部（22）において、「ＰＡＴ１＋Ｌ１／Ｖ＋Ｌ２／Ｖ」の時間が説明エリア２の温度到達時間「ＡＣｔ」より短いか否かが判断される。ここで、「ＰＡＴ１」は、説明エリア１での説明時間であり、例えば１０分に設定される。「Ｌ１」は、第１人検知センサ（D1）の位置から説明エリア１の入口までの距離である。「Ｌ２」は、第２人検知センサ（D2）の位置から説明エリア２の入口までの距離である。「Ｖ」は、見学者の歩行速度であり、例えば０．８ｍ／秒に設定される。つまり、上記「ＰＡＴ１＋Ｌ１／Ｖ＋Ｌ２／Ｖ」は、第１人検知センサ（D1）から説明エリア２までの見学者の移動推定時間として、移動用通路の移動時間に説明エリア１の説明時間が加味されている。温度到達時間「ＡＣｔ」は、第２空調機（12）を運転開始してから説明エリア２内の温度が設定温度に到達するまでの必要時間であり、例えば５分に設定される。なお、この温度到達時間「ＡＣｔ」は、各空調機（11,12,13）毎（即ち、各説明エリア毎）に設定される値であり、本実施形態では全ての空調機（11,12,13）に関して共通の値（５分）が設定されていると仮定する。
【００４０】
ステップＳＴ１２において、温度到達時間「ＡＣｔ」よりも短いと判断されると、ステップＳＴ１３へ移行し、温度到達時間「ＡＣｔ」以上と判断されると、ステップＳＴ１４へ移行する。
【００４１】
ステップＳＴ１３では、運転発停部（22）によって、第２空調機（12）が運転開始される。これにより、少なくとも見学者が説明エリア２に到着する前に、予め説明エリア２内の冷房が開始される。したがって、見学者が説明エリア２に到着するタイミングで、そのエリア内の温度が設定温度若しくはそれに近い温度になる。つまり、この場合、説明エリア１および２の各空調機（11,12）が同時に運転開始される。
【００４２】
一方、ステップＳＴ１４では、運転発停部（22）において、タイマ部（21）のタイマ２のカウント値が「ＰＡＴ１＋Ｌ１／Ｖ＋Ｌ２／Ｖ」から説明エリア２の温度到達時間「ＡＣｔ」を引いた値に到達したか否かが判断される。そして、到達すると、ステップＳＴ１３へ移行し、第２空調機（12）が運転開始される。これにより、第１人検知センサ（D1）から説明エリア２までの見学者の移動時間が比較的長い場合であっても、見学者が説明エリア２に到着する随分前から第２空調機（12）が運転開始されることはなく、適切なタイミングで第２空調機（12）が運転開始される。なお、ステップＳＴ１４では、タイマ２のカウント値が「ＰＡＴ１＋Ｌ１／Ｖ＋Ｌ２／Ｖ−ＡＣｔ」の値に到達するまでそのまま待機する。
【００４３】
ステップＳＴ１３において第２空調機（12）が運転開始されると、ステップＳＴ１５へ移行する。ステップＳＴ１５では、運転発停部（22）によって、第３人検知センサ（D3）がＯＮからＯＦＦになったか否かが判断される。ＯＦＦになったと判断されると、ステップＳＴ１６へ移行し、運転発停部（22）によって第２空調機（12）が運転停止される。なお、ステップＳＴ１５では、第３人検知センサ（D3）がＯＦＦになるまでそのまま待機する。つまり、見学者が説明エリア２から移動用通路に移動すると、第３人検知センサ（D3）がＯＮする。そして、見学者の最後尾が第３人検知センサ（D3）の位置を通過すると、第３人検知センサ（D3）がＯＦＦする。これにより、見学者の全員が説明エリア２から出たということが分かり、そのタイミングで第２空調機（12）が停止される。以上により、第２空調機（12）の運転発停制御が終了する。
【００４４】
〈第３空調機の発停制御〉
次に、制御装置（20）は、図４の制御フローに従って、第３空調機（13）の運転発停制御を行う。ステップＳＴ２１では、運転発停部（22）において、第２人検知センサ（D2）がＯＮしたか否かが判断される。見学者が説明エリア１から移動用通路へ出ると、第２人検知センサ（D2）がＯＮする。ステップＳＴ２１でＯＮしたと判断されると、ステップＳＴ２２へ移行する。なお、ステップＳＴ２１では、第２人検知センサ（D2）がＯＮするまでそのまま待機する。また、第２人検知センサ（D2）がＯＮすると、タイマ部（21）のタイマ３においてカウントが開始される。
【００４５】
ステップＳＴ２２では、運転発停部（22）において、「ＰＡＴ２＋Ｌ２／Ｖ＋Ｌ３／Ｖ」の時間が説明エリア３の温度到達時間「ＡＣｔ」より短いか否かが判断される。ここで、「ＰＡＴ２」は、説明エリア２での説明時間であり、例えば１０分に設定される。「Ｌ２」は、上述したように、第２人検知センサ（D2）の位置から説明エリア２の入口までの距離である。「Ｌ３」は、第３人検知センサ（D3）の位置から説明エリア３の入口までの距離である。「Ｖ」は、上述したように見学者の歩行速度である。つまり、上記「ＰＡＴ２＋Ｌ２／Ｖ＋Ｌ３／Ｖ」は、上記第２空調機（12）の場合と同様に、第２人検知センサ（D2）から説明エリア３までの見学者の移動推定時間として、移動用通路の移動時間に説明エリア２の説明時間が加味されている。
【００４６】
ステップＳＴ２２において、温度到達時間「ＡＣｔ」よりも短いと判断されると、ステップＳＴ２３へ移行し、温度到達時間「ＡＣｔ」以上と判断されると、ステップＳＴ２４へ移行する。
【００４７】
ステップＳＴ２３では、運転発停部（22）によって、第３空調機（13）が運転開始される。これにより、少なくとも見学者が説明エリア３に到着する前に、予め説明エリア３内の冷房が開始される。したがって、見学者が説明エリア３に到着するタイミングで、そのエリア内の温度が設定温度若しくはそれに近い温度になる。
【００４８】
一方、ステップＳＴ２４では、運転発停部（22）において、タイマ部（21）のタイマ３のカウント値が「ＰＡＴ２＋Ｌ２／Ｖ＋Ｌ３／Ｖ」から説明エリア３の温度到達時間「ＡＣｔ」を引いた値に到達したか否かが判断される。そして、到達すると、ステップＳＴ２３へ移行し、第３空調機（13）が運転開始される。これにより、第２人検知センサ（D2）から説明エリア３までの見学者の移動時間が比較的長い場合であっても、見学者が説明エリア３に到着する随分前から第３空調機（13）が運転開始されることはなく、適切なタイミングで第３空調機（13）が運転開始される。なお、ステップＳＴ２４では、タイマ３のカウント値が「ＰＡＴ２＋Ｌ２／Ｖ＋Ｌ３／Ｖ−ＡＣｔ」の値に到達するまでそのまま待機する。
【００４９】
ステップＳＴ２３において第３空調機（13）が運転開始されると、ステップＳＴ２５へ移行する。ステップＳＴ２５では、運転発停部（22）によって、第４人検知センサ（D4）がＯＮからＯＦＦになったか否かが判断される。ＯＦＦになったと判断されると、ステップＳＴ２６へ移行し、運転発停部（22）によって第３空調機（13）が運転停止される。なお、ステップＳＴ２５では、第４人検知センサ（D4）がＯＦＦになるまでそのまま待機する。つまり、見学者が説明エリア３から移動用通路に移動すると、第４人検知センサ（D4）がＯＮする。そして、見学者の最後尾が第４人検知センサ（D4）の位置を通過すると、第４人検知センサ（D4）がＯＦＦする。これにより、見学者の全員が説明エリア３から出たということが分かり、そのタイミングで第３空調機（13）が停止される。以上により、第３空調機（13）の運転発停制御が終了する。
【００５０】
このように、説明エリア２および３では、その前の前の移動用通路の人検知センサ（D1,D2）のオン検知を基準として空調機（12,13）の運転開始のタイミングが計られる。つまり、本実施形態では、検知した人検知センサ（D1,D2）の次の次の説明エリア（即ち、２つ先の説明エリア）の空調機（12,13）が運転開始される。
【００５１】
なお、本実施形態では、運転開始のタイミングを計る空調機（11,12,13）として、検知した人検知センサ（D1,D2）の次の次の説明エリアのものを対象とするようにしたが、以下のように対象とする説明エリア（空調機（11,12,13））を変更するようにしても本発明の技術的思想の範囲に入る。例えば、各説明エリア間の移動用通路の距離が比較的長い場合には、見学者の移動時間が長いので、検知した人検知センサ（D1,D2,D3,D4）の次の説明エリアの空調機（11,12,13）を対象として運転開始のタイミングを計るようにしてもよい。また、各説明エリア間の移動用通路の距離が非常に短い場合には、見学者の移動時間が短いので、検知した人検知センサ（D1,D2,D3,D4）の３つ先またはそれ以上先の説明エリアの空調機（11,12,13）を対象として運転開始のタイミングを計るようにしてもよい。このように、本発明は、移動用通路の距離や説明時間等と各説明エリアの温度到達時間「ＡＣｔ」とを考慮して対象の説明エリアが設定される。したがって、見学者が説明エリアに到着する随分前から空調機（11,12,13）が運転開始されることはなく、適切なタイミングで空調機（11,12,13）が運転開始され、見学者が説明エリアに到着するタイミングでエリア内の温度が設定温度若しくはそれに近い温度となる。
【００５２】
〈空調機の風量制御〉
次に、各空調機（11,12,13）の風量制御について説明する。制御装置（20）の風量設定部（23）は、各空調機（11,12,13）の運転開始時に、図５の制御フローに従って空調機（11,12,13）の風量を制御する。ここでは、代表して第１空調機（11）の風量制御について説明する。
【００５３】
具体的に、ステップＳＴ３１では、風量設定部（23）において、「第１人検知センサ（D1）のＯＮ時間」が基準値Ａ以上であるか否かが判断される。ここで、「第１人検知センサ（D1）のＯＮ時間」は、第１人検知センサ（D1）がＯＮしてからＯＦＦするまでの時間であり、風量設定部（23）がタイマ部（21）のタイマ１のカウント値から検出する。「第１人検知センサ（D1）のＯＮ時間」が基準値Ａ以上であると、ステップＳＴ３２に移行し、風量設定部（23）によって第１空調機（11）の風量が「強」レベルに設定される。
【００５４】
ステップＳＴ３１において基準値Ａ未満であると判断されると、ステップＳＴ３３へ移行する。ステップＳＴ３３では、「第１人検知センサ（D1）のＯＮ時間」が基準値Ｂ以上であるか否かが判断され、基準値Ｂ以上だと、ステップＳＴ３４に移行する。ステップＳＴ３４では、風量設定部（23）によって第１空調機（11）の風量が「急」レベルに設定される。
【００５５】
ステップＳＴ３３において基準値Ｂ未満であると判断されると、ステップＳＴ３５へ移行する。ステップＳＴ３５では、「第１人検知センサ（D1）のＯＮ時間」が基準値Ｃ以上であるか否かが判断され、基準値Ｃ以上だと、ステップＳＴ３６へ移行する。ステップＳＴ３６では、風量設定部（23）によって第１空調機（11）の風量が「弱」レベルに設定される。なお、本実施形態では、「強」レベル、「急」レベル、「弱」レベルの順に、風量が大きくなっている。
【００５６】
このように、風量設定部（23）は、「人検知センサ（D1,D2,D3,D4）のＯＮ時間」の値が大きいほど、風量を増大させる。つまり、風量設定部（23）は、「人検知センサ（D1,D2,D3,D4）のＯＮ時間」の値に基づいて見学者の人数を推定する。風量設定部（23）は、「人検知センサ（D1,D2,D3,D4）のＯＮ時間」の値が大きいと、見学者の人数が多いと推定し、風量を増大させる。また、風量設定部（23）は、「人検知センサ（D1,D2,D3,D4）のＯＮ時間」の値が小さいと、見学者の人数が少ないと推定し、風量を減少させる。
【００５７】
−実施形態の効果−
本実施形態によれば、移動用通路に人検知センサ（D1,D2,D3,D4）を設け、その人検知センサ（D1,D2,D3,D4）が検知すると次の次の説明エリアの空調機（11,12,13）を対象として運転するようにした。したがって、見学者が説明エリアに到着するタイミングで、説明エリア内の温度等を所定状態にすることができる。これにより、空調機（11,12,13）を常に運転させなくても、見学者の快適性を損なうことはない。また、見学者の移動状態に合わせて空調機（11,12,13）を適切に運転させることができるので、無駄な運転を防止することができる。その結果、空気調和システム（10）の省エネ性を向上させることができる。
【００５８】
また、本実施形態によれば、検知した人検知センサ（D1,D2,D3,D4）の位置から対象とする説明エリアまでの距離と人の歩行速度とに少なくとも基づいて空調機（11,12,13）の運転開始のタイミングを計るようにした。つまり、人検知センサ（D1,D2,D3,D4）の位置から対象とする説明エリアまでの見学者の移動時間を加味して空調機（11,12,13）の運転タイミングを計るようにした。よって、一層見学者の移動状態に合わせて空調機（11,12,13）を運転させることができる。これにより、空調機（11,12,13）の無駄な運転を確実に防止でき、省エネ性を一層向上させることができる。
【００５９】
また、本実施形態によれば、人検知センサ（D1,D2,D3,D4）のＯＮ時間に応じて空調機（11,12,13）の風量を制御するようにした。したがって、見学者の人数に応じた適切な風量で空調機（11,12,13）を運転させることができる。これにより、省エネ性を一層向上させることができる。
【００６０】
また、本実施形態によれば、人検知センサ（D1,D2,D3,D4）を移動用通路の後方側に位置させるようにしたので、説明エリアを出た見学者の存在をいち早く検知することができる。したがって、空調機（11,12,13）が運転開始してから説明エリア内が所定状態になるまでに要する時間を十分に確保することができる。よって、見学者の快適性を確実に維持することができる。
【００６１】
《その他の実施形態》
上述した実施形態については以下のような構成としてもよい。
【００６２】
例えば、上記実施形態では、各説明エリア毎に空調手段である空調機（11,12,13）を設けるようにしたが、本発明はこれに限らず、次のように構成してもよい。各説明エリアの共通の空調機が設けられ、その空調機と各説明エリアとがダクトで接続される。そして、各説明エリアのダクトには、開度変更自在なダンパが設けられる。つまり、このダンパが本発明に係る空調手段を構成する。この場合は、人検知センサ（D1,D2,D3,D4）が検知すると、次の説明エリアに対応するダンパが開く。これにより、見学者が到着する前に説明エリアの空調が開始され、見学者が到着するタイミングで説明エリアの空調状態が設定状態になる。つまり、この形態では、人検知センサ（D1,D2,D3,D4）の検知によって、空調機を運転開始するのではなく、ダンパの開動作を開始させる。
【００６３】
なお、上記実施形態は、本質的に好ましい例示であって、本発明、その適用物、あるいはその用途の範囲を制限することを意図するものではない。
【産業上の利用可能性】
【００６４】
以上説明したように、本発明は、見学者通路等に順に設けられた複数の空調エリアを対象とする空気調和システムの制御装置および空気調和システムとして有用である。
【図面の簡単な説明】
【００６５】
【図１】本発明の実施形態に係る空気調和システムの構成を示す配管系統図である。
【図２】本発明の実施形態に係る制御装置の第１空調機に対する制御動作を示すフローチャートである。
【図３】本発明の実施形態に係る制御装置の第２空調機に対する制御動作を示すフローチャートである。
【図４】本発明の実施形態に係る制御装置の第３空調機に対する制御動作を示すフローチャートである。
【図５】本発明の実施形態に係る制御装置の空調機の風量制御を示すフローチャートである。
【符号の説明】
【００６６】
10          空気調和システム
11          第１空調機（空調手段）
12          第２空調機（空調手段）
13          第３空調機（空調手段）
20          制御装置
22          運転発停部（運転開始手段）
23          風量制御部（能力制御手段）
D1〜D4      第１〜第４人検知センサ（人検知手段）
【図１】
2009186097.tif 000003
【図２】
2009186097.tif 000004
【図３】
2009186097.tif 000005
【図４】
2009186097.tif 000006
【図５】
2009186097.tif 000007